(57)【要約】【課題】  本考案は、トイレでの体力の衰えたお年寄りや、ひざや腰の不自由な方々が洋風便器での、着座や用便が済んだ後の起立動作を助けるために、便器使用者や介護をする人達の苦労を緩和するための、便座を昇降させる設備を提供する。【解決手段】  便座Ｂの後方部Ｂｂを昇降させるための、駆動伝達装置を便器Ａの側部及びポータブルトイレ２０の内部にに設置させ、駆動伝達の起点となるハンドル４の手動反転操作によりスプロケット２が回転しチエーン５を介してピニオン６に連動し、そのピニオン６に支持している軸８を通じてラチェットギヤ９及び歯車１２も同様に回転し、ラチェットギヤ９はラチェット爪を伴い逆転阻止の役目を成し、歯車１２は自体にかみ合うギヤ群１３を介して、外周にラック１ａを有し更に上端に便座Ｂの後方部Ｂｂを固定した円弧状アーム１を、便器Ａの先端部Ａａを中心に円を描くように上昇させる。【選択図】図１１
0003123479.tif 000002
【実用新案登録請求の範囲】
【請求項１】
便器本体と、この便器本体に装備された便座と、この便座の後方部と連結すると共に外周にラックを有する円弧状アームと、更に便器本体の側部に装備されると共に、前後に反転自在な手動ハンドルとを成し、このハンドルの前後手動反転操作によってスプロケット及びギヤ群を介して、前記円弧状アームを上方向に回動させると共に、便器に載った便座の前方部を中心に、後方部が傾斜状態に立ち上がるようにしたことを特徴とする便器装置。
【請求項２】
請求項１において、ハンドルの手動反転操作によって昇降する円弧状アームは外周にラックを有し、この円弧状アームは便器上面より下方向への長さを床の上端近傍まで延長させ、この円弧状アームの最上位置に上昇したときに、円弧状アームの上端部に連結されている便座の後方部は、便器上面前方部を中心に４５°以上上昇可能であることを特徴とする便器装置。
【考案の詳細な説明】
【技術分野】
【０００１】
本考案は、洋風便器の便座やポータブルトイレの便座を、前方を中心に後方部を一定角度持ち上げ、用便後の便器使用者の立ち上がりを助ける便器装置に関する。
【背景技術】
【０００２】
商用電力を活用し駆動装置によって、便座の後方部を持ち上げる様にしたものが知られているが、この駆動の形態は人体荷重がかかっていても駆動軸は人体ごと上昇可能であるが、駆動軸はケース部材によって収められているため、駆動軸の長さは限られており、持ち上げ角度に限度があり、便器使用者の起立動作を助けるまでに至らない。
【特許文献１】特開２００５−６６０３１号公報
【考案の開示】
【考案が解決しようとする課題】
【０００３】
しかしながらその持ち上げ角度は２０°位と小さいため、便器使用者の起立巾が小さく、そのため便器使用者や例えば介助する人の苦労は大きい。
しかも上昇角度が小さいため、便座と便器上面との間についた尿や汚れを取り除くのにも困難が伴う。  
【課題を解決するための手段】
【０００４】
本考案の便器装置は、便器使用者の起立動作や、例えば介助する人の労力を緩和するため、便器の押し上げ角度を大きくして、便器使用者の起立動作を助け、更に介助人は便器使用者の抱き抱えを容易に行うことができ、且つ便座と便器上面との間についた汚れは便座の押し上げ角度を大きくして、便器上面の全面をくまなく清掃することができる。  
【０００５】
しかも本考案の便器装置は手動で操作をするものであるから、洋風便器は勿論ポータブルトイレにおいても活用でき、ポータブルトイレにおいて体力の低下したお年寄りや、介護をされているひざや腰の不自由な方の場合、用便後円弧状アームを上昇途中好みの角度で留め置き、例えば介助をしている人は立ち上がった便座の後方より、便器使用者のしりを清潔にすることもでき、更に円弧状アームをどの位置でも停止させることができるため、これにより身長の大小に応じて便座の昇降高さが決められ、起立動作をより安易に行うことができ、上記の課題を解決するものである。
【考案の効果】
【０００６】
本考案に係わる便器装置の駆動は、ハンドル４の手動反転操作により、スプロケット２
からチエーン５を介しピニオン６に連動され、そのピニオン６に固定されている軸８を通じて歯車１２それにギヤ群１３を回転させ、外周にラック１ａを有する円弧状アーム１を上昇させ、又は上昇している円弧状アーム１を下降させることができる。
【０００７】
本考案に係わる駆動軸の円弧状アーム１は、便器上面より便器設置床近傍までの高さを、円弧状アーム１の長さにしてあり、この円弧状アーム１はハンドル４の手動反転操作により昇降するが、便器Ａに載っている便座Ｂの先端部Ｂａより便座後端部Ｂｂまでの巾が床上より便器上面までの高さより寸法が短く、傾斜状態に立ち上がった便座Ｂの後方部Ｂｂは、便器前方部Ａａを中心に４５°以上上昇することになる。
【０００８】
本考案の駆動軸の円弧状アーム１の上下回動は、ハンドル４の前方向への反転操作にてピニオン６は回転し、そのピニオン６に支持している軸８はラチェットギヤ９及び歯車１２を支持し、ピニオン６の回転に伴いラチェットギヤ９も回転するが、その回転と同時にラチェットギヤ９は、横板１１に装備されているラチェット爪１０より解放され、歯車１２やギヤ群１３を介して円弧状アーム１０は上昇するが、ハンドル４の反転操作を停止することでラチェット爪１０は元に戻りラチェットギヤ９にかみ合い、ギヤ群１３の逆転を阻止し、その位置で円弧状昇降アーム１は停止する。 
【考案を実施するための最良の形態】
【０００９】
以下図面を参照して本考案の形態について説明する。
【実施例１】
【００１０】
図１に示す如く、洋風便器Ａには便座ＢとタンクＣとで構成されているが、この便座Ｂの後方部Ｂｂは円弧状アーム１の上端に固定されており、その円弧状アーム１の外周にはラック１ａを施してあり、又便座Ｂの前方部Ｂａを便器Ａの前方部Ａａに当接させ、便座Ｂの後方部Ｂｂを円弧状アーム１によって立ち上がらせ、更にスプロケット２はハンドル４の前後反転操作によって回転するが、このハンドル４も軸３にて同軸上に備えられていて、スプロケット２からチエーン５によってピニオン６に伝達され、歯車１２を介してギヤ群１３によって変速され、前記円弧状アーム１のラック１ａに連動される。
【００１１】
図２に示す如く、便座Ｂの前方部Ｂａから便座Ｂの後方部Ｂｂまでの巾が、床上から便器Ａの上面までの高さより長さが短く、更に円弧状アーム１の長さは便器Ａの上面より下方向へ床上近傍まであり、したがって便器先端部Ａａを中心に便座後方部Ｂｂの押し上げ角度は４５°以上上昇する。
【００１２】
図３に示す如く、ハンドル４の手動反転操作により、スプロケット２からチエーン５を介してピニオン６に連動されるが、このピニオン６は軸８を支持しており、その軸８のピ
ニオン６の側部にラチェットギヤ９を固定し、ピニオン６が回転すると同様にラチェットギヤ９も回転し、同時にラチェットギヤ９はラチェット爪１０より解放され、ラチェットギヤ９は円弧状アーム１の上昇方向へ回転するが、ハンドル４の反転操作を停止した時点で、ラチェット爪は元に戻りラチェットギヤにかみ合い、軸８に支持しているラチェットギヤ９や歯車１２によって、ギヤ群１３の逆転を塞き止める。
しかし上昇した円弧状アーム１を下降させる場合は、ハンドル４に付帯しているラチェット解放レバー７を握り込むことにより、ラチェット爪１０はラチェットギヤ９より外れ、ラチェット解放レバー７を握り込んだ状態でハンドル４を逆反転操作をすることで円弧状アーム１は下降する。
【００１３】
図４に示す如く、ピニオン６に支持しラチェットギヤ９を支持した軸８は、便器Ａを挟む双方の横板１１の内部に入り、その軸８には双方の横板１１に添って歯車１２を固定し、その歯車１２からギヤ群１３のギヤ１３ａからギヤ１３ｂ更にその上の段のギヤ１３ｃへと連動され、外周にラック１ａを施した円弧状アーム１に伝達される。
【００１４】
図５に示す如く、便器Ａを挟む横板１１の斜視図であるが、横板１１から、軸３に支持するハンドル４やスプロケット２からチエーン５を介してピニオン６に達し、そのピニオン６が支持する軸８は横板１１の内部に入り、左右の横板１１に添って固定してある歯車１２からギヤ群１３を介して、便座Ｂの裏面に取り付ける便座取り付けプレート１６を固定してある円弧状アーム１に伝達される。
【００１５】
図６に示す如く、円弧状アーム１と横板１１には、ガイド溝１４及びガイド軸１５が施してあるが、そのガイド軸１５には円弧状アーム１が上下回動の滑りをよくするため、ガイド軸１５に対して回転可能なわっか１５ａが備えられていると共に、そのガイド軸１５は円弧状アーム１が昇降のオフリミットの役目もする。
【００１６】
図７に示す如く、便器使用者の安全を保つため、円弧状アーム１の上端部に固定する便座取り付けプレート１６にひじ掛け１７を取り付けることで、便座後方部Ｂｂが上昇すると同様に、ひじ掛け１７も上昇する。
【００１７】
図８に示す如く、便器使用者の衣類が、便器装置の駆動体に絡み込まないように、便器Ａを挟み固定してある横板１１を、覆い込むように駆動体カバー１８を取り付け、更にチエーン５が露出しないようにチエーンカバー１９を取り付け、更に図示は略ではあるが円弧状アーム１の上昇時にはラック１ａが晒され、便器使用者の衣服が巻き込まれるおそれがあるため、円弧状アーム１の上昇部分はビニール製などの被覆材を施しておく小手とが好ましい。  
【００１８】
図９に示す斜視図は、ポータブルトイレ２０に内蔵する駆動装置で、内容は図５に示したトイレットルームに設置する駆動装置と同様であるが、コンパクトにまとめたものであり、図９に示した駆動装置を収めたものが図１０のポータブルトイレ２０の姿図である。
【００１９】
尚、上記の実施の駆動力は一例を示すもので、駆動装置は手動操作に限定するものではなく、商用電力を駆使して駆動装置を操作してもよろしい。
【００２０】
更に、上記の実施の形態は一例を示すもので、本考案は図示の形態に限定されるものではなく、例えば、上記の実施の形態では本考案は洋風便器側部の空間部やポータブルトイレ内部の空間部を利用して設置しているが、ケース部材は便座ボックスでもよく、便器カバーであってもよく、更に便座ボックスや便器カバーの形状や大きさは特に限定するものではない。
【００２１】
尚、円弧状アーム１の上昇操作はハンドル４の前方への手動反転操作とは限らず、後方への手動反転操作でもよろしい。
【００２２】
更に、図３に係わる逆転阻止のラチェット仕様は図示の形態に限定するものではなく、例えばスプロケット２やピニオン６に逆転阻止のギヤなどを装備してもよろしい。  
【００２３】
更に、上記の実施の形態の円弧状アーム１のガイドはガイド溝１４やガイド軸１５を活用するとは限らず、例えばコの字型やＬ字型など他の部材を駆使してもよろしい。
【産業上の利用可能性】
【００２４】
本考案の便器装置の起動は、ハンドル４の手動反転操作で行うが、スプロケット２からチエーン５を介してピニオン６に伝達され、そのピニオン６に固定されている軸８は便器Ａを挟む横板１１の内部に入り、更にその横板１１の内部両側面に添って歯車１２を固定し、その歯車１２にギヤ群１３がかみ合うが、それらの各ギヤ１３ａ、１３ｂ、１３ｃの軸への当接部分には、回転機能を円滑に、あるいは回転動力を軽減するためのベアリングが組み込まれており、ギヤ群１３にかみ合う円弧状アーム１は軽快に昇降し、例えば腕力の少ない女性の方のハンドル操作でも、昇降速度の加減ができ、更に円弧状昇降アーム１を軽やかに上下動させることができ、実用性に優れたものである。
【図面の簡単な説明】
【００２５】
【図１】実施の形態に係わる、便座昇降装置を備えた洋風便器での、便器装置の側面図である。
【図２】実施の形態に係わる、円弧状アーム１の押し上げ角度を表した図形である。
【図３】実施の形態に係わる、ハンドル４に付帯しているラチェット解放レバー７からラチェット連結ワイヤー７ａを介し、ラチェット爪へ至る図形である。
【図４】実施の形態に係わる、ピニオン６よりラチェットギヤ９や歯車１２を支持する軸８が、便器を挟む横板１１の内部に入り、歯車１２やギヤ群１３を要し円弧状アーム１に達する図形である。
【図５】実施の形態に係わる、駆動体の斜視図である。
【図６】実施の形態に係わる、ガイド溝１４及びガイド軸１５の図形である。
【図７】実施の形態に係わる、便座取り付けプレート１６にひじ掛け１７を 取り付けた図形である。
【図８】実施の形態に係わる、駆動体を被覆した洋風便器の姿図である。
【図９】実施の形態に係わる便器装置を、ポータブルトイレ２０に内蔵する駆動体の斜視図である。
【図１０】上記の駆動体を収めたポータブルトイレ２０の姿図である。
【図１１】実施の形態に係わる、便座昇降装置を備えた洋風便器での、便器使用者の着座状態で上昇した便器装置の側面図である。
【符号の説明】
【００２６】
Ａ      洋風便器
Ａａ    洋風便器の上面前方部
Ａｂ    洋風便器の上面後方部
Ｂ      便座
Ｂａ    便座の前方部
Ｂｂ    便座の後方部
Ｃ      タンク
１      円弧状アーム
１ａ    円弧状アームに有するラック
２      スプロケット
３      スプロケット２やハンドル４を支持する軸
４      ハンドル
５      チエーン
６      ピニオン
７      ラチェット爪解放レバー
７ａ    ラチェット爪連結ワイヤー
８      ピニオン６からラチェットギヤ９や歯車１２を支持する軸
９      ラチェットギヤ
１０    ラチェット爪
１１    横板
１２    歯車
１３    ギヤ群
１３ａ  ギヤ
１３ｂ  ギヤ
１３ｃ  ギヤ
１４    ガイド溝
１５    ガイド軸
１５ａ  ガイド軸のわっか
１６    便座取り付けプレート
１７    ひじ掛け
１８    駆動体カバー
１９    チエーンカバー
２０    ポータブルトイレ
【図１】
0003123479.tif 000003
【図２】
0003123479.tif 000004
【図３】
0003123479.tif 000005
【図４】
0003123479.tif 000006
【図５】
0003123479.tif 000007
【図６】
0003123479.tif 000008
【図７】
0003123479.tif 000009
【図８】
0003123479.tif 000010
【図９】
0003123479.tif 000011
【図１０】
0003123479.tif 000012
【図１１】
0003123479.tif 000013